(57)【要約】【課題】画像処理装置における消費電力を減少させる。【解決手段】画像処理装置のメモリ制御部は、複数の記憶領域を有しデータが格納される記憶部を、各記憶領域におけるデータの格納状態及び使用状態に応じて記憶領域毎に制御する。各記憶領域は、現在使用されている第１記憶部、データが格納されているが現在使用されていない第２記憶部又はデータが格納されていない第３記憶部のいずれかである。メモリ制御部は、電源供給部を制御することで第１記憶部に対して電力を供給し、第２記憶部をセルフリフレッシュモードに移行させ、電源供給部を制御することで第３記憶部に対して電力の供給を停止する。【選択図】図１
2012160934.tif 000002
【特許請求の範囲】
【請求項１】
装置本体を制御する主制御部と、
複数の記憶領域を有し、データが格納される記憶部と、
前記記憶部の各記憶領域における前記データの格納状態及び使用状態に応じて前記記憶部を前記記憶領域毎に制御するメモリ制御部と、
前記主制御部、前記記憶部及び前記メモリ制御部に電力を供給する電源供給部と、
を備え、
前記記憶領域のそれぞれは、
現在使用されている第１記憶部、前記データが格納されているが現在使用されていない第２記憶部及び前記データが格納されていない第３記憶部のいずれかであって、
前記メモリ制御部は、前記電源供給部を制御することで前記第１記憶部に対して電力を供給し、前記第２記憶部をセルフリフレッシュモードに移行させ、前記電源供給部を制御することで前記第３記憶部に対して電力の供給を停止する、画像処理装置。
【請求項２】
前記記憶部の各記憶領域における前記データの格納状態及び使用状態を管理する管理テーブルをさらに備え、
前記メモリ制御部は、前記管理テーブルに基づいて前記記憶部を制御する請求項１に記載の画像処理装置。
【請求項３】
前記メモリ制御部は、前記データの格納状態及び使用状態の変更に応じて前記管理テーブルを更新する、請求項２に記載の画像処理装置。
【発明の詳細な説明】
【技術分野】
【０００１】
本発明は、セルフリフレッシュ機能を有する記憶部を備える画像処理装置に関する。
【背景技術】
【０００２】
ファクシミリ機能、スキャナ機能、プリンタ機能及びコピー機能等の複数の機能を複合して備えた複合機では、省電力化を実現するために、省エネルギーモードが具備されている。
【０００３】
また近年、さらなる省電力化の実現のために、省エネルギーモードに移行する際に蓄積メモリをセルフリフレッシュモードに移行させる複合機が普及している。セルフリフレッシュ機能を有する蓄積メモリは、複数のメモリチップで構成されていてもよく、プロセッサ等に非同期でリフレッシュ動作を行い、データを保持することができる。リフレッシュ動作とは、蓄積メモリのデータの消失を防ぐために行われる定期的なデータの再書込みの動作のことである（例えば特許文献１）。
【先行技術文献】
【特許文献】
【０００４】
【特許文献１】特開平８−１２９５１１号公報
【発明の概要】
【発明が解決しようとする課題】
【０００５】
特許文献１では、主電源が停止した状態において、有効なデータが格納されている蓄積メモリの部分のみに対してバックアップ電池から電力を供給することによりセルフリフレッシュモードでメモリをバックアップし、バックアップ電池の消耗を防ぐ。しかし、複合機における消費電力をさらに減少させために、主電源がオン状態における複合機の省電力効果を向上させることが求められている。
本発明の課題は、複合機等の画像処理装置における消費電力を減少させることにある。
【課題を解決するための手段】
【０００６】
以下に、課題を解決するための手段として複数の態様を説明する。これら態様は、必要に応じて任意に組み合せることができる。
本発明の一見地に係る画像処理装置は、主制御部と、記憶部と、メモリ制御部と、電源供給部と、を備える。主制御部は、装置本体を制御する。記憶部は、複数の記憶領域を有し、データが格納される。メモリ制御部は、記憶部の各記憶領域におけるデータの格納状態及び使用状態に応じて記憶部を記憶領域毎に制御する。電源供給部は、主制御部、記憶部及びメモリ制御部に電力を供給する。ここで、記憶領域のそれぞれは、現在使用されている第１記憶部、データが格納されているが現在使用されていない第２記憶部又はデータが格納されていない第３記憶部のいずれかである。そして、メモリ制御部は、電源供給部を制御することで第１記憶部に対して電力を供給し、第２記憶部をセルフリフレッシュモードに移行させ、電源供給部を制御することで第３記憶部に対して電力の供給を停止する。
ここでは、メモリ制御部は、記憶部の各記憶領域におけるデータの格納状態及び使用状態に応じて記憶部を記憶領域毎に制御できる。そのため、データの格納状態及び使用状態に応じて電力の供給が必要な記憶領域にのみ電力を供給できるので、画像処理装置における消費電力を減少できる。
【０００７】
画像処理装置は、記憶部の各記憶領域におけるデータの格納状態及び使用状態を管理する管理テーブルをさらに備えていてもよい。ここでメモリ制御部は、管理テーブルに基づいて記憶部を制御してもよい。
ここでは、メモリ制御部は、管理テーブルに基づいてより容易に記憶部を制御できる。
【０００８】
メモリ制御部は、データの格納状態及び使用状態の変更に応じて管理テーブルを更新してもよい。
【発明の効果】
【０００９】
本発明によれば、画像処理装置における電力消費を抑えることができる。
【図面の簡単な説明】
【００１０】
【図１】画像処理装置の要部構成を示すブロック図である。
【図２】管理テーブルの一例を示す図である。
【図３】メモリコントローラによる管理テーブルの更新の処理を示すフローチャートである。
【図４】メモリコントローラによる記憶領域の制御を示すフローチャートである。
【発明を実施するための形態】
【００１１】
１．第１実施形態
（１）画像処理装置の概要
以下、本実施形態における画像処理装置を例に挙げて説明する。画像処理装置１は、コピー機能、ファクシミリ通信機能、スキャナ機能及びネットワークプリンタ機能を有するいわゆる複合機である。図１を参照して、画像処理装置１の構成を説明する。図１は、本実施形態の画像処理装置の要部構成を示すブロック図である。
【００１２】
画像処理装置１は、ＣＰＵ１１、フラッシュＲＯＭ１３、第１ＳＤＲＡＭ１５及びＳＲＡＭ１７を備えている。画像処理装置１は、さらに、モデム１９、ＮＣＵ２１、操作パネル２３、ＲＴＣ２５、ネットワークボード２７、スキャナ２９、プリンタ３１、ＡＳＩＣ３３、メモリコントローラ３５、第２ＳＤＲＡＭ３７及び電源供給部４５等を備える。
【００１３】
また、画像処理装置１は、システムバス５１、第１ローカルバス５３、シリアルバス５５及び第２ローカルバス５７等のバスを備えており、画像処理装置１内の各部はこれらのバスによって互いに接続されている。システムバス５１には、ＣＰＵ１１、フラッシュＲＯＭ１３、第１ＳＤＲＡＭ１５、ＳＲＡＭ１７、モデム１９、ＮＣＵ２１、操作パネル２３、ＲＴＣ２５、ＡＳＩＣ３３及びメモリコントローラ３５が接続されている。第１ローカルバス５３には、ＡＳＩＣ３３及びネットワークボード２７が接続されている。ＡＳＩＣ３３とスキャナ２９及びプリンタ３１とは、シリアルバス５５によって互いに接続されている。メモリコントローラ３５と第２ＳＤＲＡＭ３７とは、第２ＳＤＲＡＭ３７の記憶領域毎に第２ローカルバス５７によって接続されている。
【００１４】
なお、画像処理装置１の状態は、主電力がオン状態において、通常電力モードと省電力モードとの間を移行できる。通常電力モードとは、何らかの動作指示があった場合には、その動作指示に基づいて直ぐに処理を実行できる状態をいう。省エネルギーモードとは、操作パネル２３を非表示状態とし、プリンタ３１における待機温度を下げた状態として、画像処理装置１の最低限の部品にのみ電力を供給することによって通常電力モードの消費電力よりも消費電力が低い状態のことをいう。画像処理装置１は、一定時間使用されない場合、例えば操作パネル２３からの操作入力が一定時間ない場合又は画像データの入力が一定時間ない場合には、ＣＰＵ１１が電源供給部４５を制御することで、画像処理装置１の状態は省電力モードに移行する。このとき、第１ＳＤＲＡＭ１５及びＳＲＡＭ１７は、独自のバッテリに接続されていて、画像処理装置１の省電力モードにおいても、電源の供給が確保されている。
また、画像処理装置１の第２ＳＤＲＡＭ３７には、メモリコントローラ３５の制御により、第２ＳＤＲＡＭ３７の記憶領域毎に、データの格納状態及び使用状態に応じて電源供給部４５から電力が供給される（詳細は後述）。
【００１５】
ＣＰＵ（Ｃｅｎｔｒａｌ  Ｐｒｏｃｅｓｓｉｎｇ  Ｕｎｉｔ）１１は、フラッシュＲＯＭ１３等に格納される各種プログラムを読み出して実行することによって、画像処理装置１を構成する各部を制御する。
【００１６】
フラッシュＲＯＭ（Ｒｅａｄ  Ｏｎｌｙ  Ｍｅｍｏｒｙ）１３は、ＣＰＵ１１に読み込まれる各種プログラムを記憶している。
【００１７】
第１ＳＤＲＡＭ（Ｓｔａｔｉｃ  Ｒａｎｄｏｍ  Ａｃｃｅｓｓ  Ｍｅｍｏｒｙ）１５は、予め登録された各種設定情報を記憶するＣＰＵ１１の主メモリであり、各種プログラムを実行するワークエリアとして機能する。本実施形態の第１ＳＤＲＡＭ１５は、後述する管理テーブル１６を有する。
ＳＲＡＭ（Ｓｔａｔｉｃ  Ｒａｎｄｏｍ  Ａｃｃｅｓｓ  Ｍｅｍｏｒｙ）１７は、短縮ダイヤル等の各種のユーザ設定及びエラー情報等を記憶可能である。
【００１８】
モデム１９は、デジタル信号とアナログ信号を相互変換する変復調装置であり、通常のファクシミリ通信用のファクシミリモデムの機能を有する。モデム１９は、ＮＣＵ（Ｎｅｔｗｏｒｋ  Ｃｏｎｔｒｏｌ  Ｕｎｉｔ）２１と直接接続されている。
ＮＣＵ（Ｎｅｔｗｏｒｋ  Ｃｏｎｔｒｏｌ  Ｕｎｉｔ）２１は、公衆交換電話網（ＰＳＴＮ：Ｐｕｂｌｉｃ  Ｓｕｂｓｃｒｉｂｅｒ  Ｔｅｌｅｐｈｏｎｅ  Ｎｅｔｗｏｒｋ）に接続されており、電話回線を介して発呼及び着呼を含む通信を制御する。
【００１９】
操作パネル２３は、表示パネル、タッチセンサを有するタッチパネル及びハードキー等を備える。操作パネル２３は、表示パネルによって画像を表示することで、画像処理装置１の動作状況及びエラーの発生等の情報をユーザに伝えると共に、ソフトキー及びハードキーを介してユーザからの操作を受け付けることができる。すなわち、ユーザは、操作パネル２３を用いて、コピー、スキャン、又はファクシミリ送信等の指示を画像処理装置１に入力できる。
【００２０】
ＲＴＣ（Ｒｅａｌ  Ｔｉｍｅ  Ｃｌｏｃｋ）２５は、時計回路であり、画像処理装置１の電源が切られていても時刻を刻み続けることができる。
ネットワークボード２７は、ＬＡＮ６１を介してネットワークと接続され、ＴＣＰ／ＩＰプロトコルに従ってクライアントＰＣ及び他の機器との通信機能を実行する。
【００２１】
スキャナ２９は、ＣＰＵ１１の制御の下、原稿から画像を読み取るスキャナ機能を実現する。スキャナ２９は、例えば、ＣＣＤ（Ｃｈａｒｇｅ  Ｃｏｕｐｌｅｄ  Ｄｅｖｉｃｅ）等のイメージセンサを有している。スキャナ２９によって読み取られた原稿の画像データは、図示しないＡＦＥ（Ａｎａｌｏｇ  Ｆｒｏｎｔ  Ｅｎｄ）によってアナログ信号からデジタル信号に変換されて、ＡＳＩＣ３３に入力される。
プリンタ３１は、ＣＰＵ１１の制御の下、スキャナ２９により原稿から読み取られた画像データ及びファクシミリ通信機能によって受信された画像データを用紙に印刷するプリント機能を実現する。またプリンタ３１は、ＣＰＵ１１の制御の下、ネットワークプリント機能によってＬＡＮ６１を介して受信された画像データを用紙に印刷するプリント機能を実現する。
【００２２】
ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）３３は、画像データに対して用紙に印刷するための画像処理を行う。ＡＳＩＣ３３は、図示しないＣＯＤＥＣ（Ｃｏｄｅｒ  ａｎｄ  Ｄｅｃｏｄｅｒ）を有し、ＣＯＤＥＣによって、画像データが圧縮及び展開される。すなわち、ＣＯＤＥＣは、スキャナ２９から受け取った原稿の画像データ及びファクシミリ通信によって送受信する画像データに対して、圧縮（符号化）及び復号等の処理を行う。圧縮形式としては、公知の形式が採用可能である。
【００２３】
メモリコントローラ３５は、第２ＳＤＲＡＭ３７に対するデータの読み出し及び書き込みを制御する。
また、メモリコントローラ３５は、第２ＳＤＲＡＭ３７の各記憶領域におけるデータの格納状態及び使用状態の変更に応じて、管理テーブル１６の更新を行う。
さらに、メモリコントローラ３５は、第２ＳＤＲＡＭ３７の各記憶領域におけるデータの格納状態及び使用状態に応じて、第２ＳＤＲＡＭ３７を記憶領域毎に制御する。具体的にメモリコントローラ３５は、管理テーブル１６を参照して電源供給部４５から各記憶領域へ電力を供給又は停止する。例えば、メモリコントローラ３５は、管理テーブル１６を参照してデータが書き込み又は読み出しされている記憶領域へは電力を供給する。一方で、メモリコントローラ３５は、管理テーブル１６を参照してデータが記憶されていない記憶領域へは電力の供給を停止する。またメモリコントローラ３５は、管理テーブル１６を参照して各記憶領域をセルフリフレッシュモードに切り替える、又は各記憶領域をセルフリフレッシュモードから解除する。ここでセルフリフレッシュモードとは、第２ＳＤＲＡＭ３７がメモリコントローラ３５からのリフレッシュコマンド等の外部信号に依らずに内部で非同期にリフレッシュ動作を行うモードである。従って画像処理装置１が省電力モードである場合であっても、記憶領域に電力を供給してセルフリフレッシュモードで動作させることにより、第２ＳＤＲＡＭ３７の各記憶領域に格納されているデータの消失を防ぎながら消費電力を抑制できる。
なお、メモリコントローラ３５は、ＡＳＩＣ３３に搭載されたコントローラであってもよい。
【００２４】
第２ＳＤＲＡＭ３７は、容量素子に電荷を蓄積することによって書き込みが行われる揮発性メモリであり、随時にデータの書き込み、読み出し及び消去が可能である。第２ＳＤＲＡＭ３７には、ＡＳＩＣ３３で処理された画像データ等のデータが格納される。
第２ＳＤＲＡＭ３７は、用途に応じた複数の記憶領域を含む。第２ＳＤＲＡＭ３７は、例えば複数のメモリチップから構成され、複数の記憶領域のそれぞれは各メモリチップによって構成される。本実施形態の第２ＳＤＲＡＭ３７は、ファックス用記憶領域３９、コピー用記憶領域４１及びリスト原稿用記憶領域４３を含む。ファックス用記憶領域３９には、例えばＮＣＵ２１及びＰＳＴＮを介してファックス送信される画像データが記憶される。コピー用記憶領域４１には、例えばプリンタ３１によって印刷される画像データが記憶される。リスト原稿用記憶領域４３には、画像処理装置１の設定情報又は各ユーザの印刷枚数等の各種データが記憶される。
【００２５】
第２ＳＤＲＡＭ３７は、記憶領域毎にメモリコントローラ３５と接続されている。具体的には、ファックス用記憶領域３９、コピー用記憶領域４１及びリスト原稿用記憶領域４３それぞれが、ローカルバス５７を介してメモリコントローラ３５と直接接続されている。そして、メモリコントローラ３５は、ファックス用記憶領域３９、コピー用記憶領域４１及びリスト原稿用記憶領域４３を、各記憶領域のデータの格納状態及び使用状態に応じて個別に制御する。
【００２６】
電源供給部４５は、交流の商用電源を直流に変換し画像処理装置１へ供給する電源装置である。図示しない主電源をオンにすることによって画像処理装置１への電力の供給が開始される。
電源供給部４５は、主電源がオンの状態において、ＣＰＵ１１の制御のもと、通常電力モード又は省電力モードに応じた電力を供給する。また、電源供給部４５は、メモリコントローラ３５の制御のもと、第２ＳＤＲＡＭ３７に対しては、第２ＳＤＲＡＭ３７の記憶領域毎に、データの格納状態及び使用状態に応じた電力を供給する。
【００２７】
（２）管理テーブルの概要
次に、図２を参照して第１ＳＤＲＡＭ１５に含まれる管理テーブル１６を説明する。図２は、管理テーブルの一例を示す図である。
管理テーブル１６は、第２ＳＤＲＡＭ３７の各記憶領域を管理するテーブルである。管理テーブル１６には、第２ＳＤＲＡＭ３７の各記憶領域の「領域名」と「状態」とが対応付けて記憶されている。
【００２８】
本実施形態では、前述のとおり第２ＳＤＲＡＭ３７は、ファックス用記憶領域３９、コピー用記憶領域４１及びリスト原稿用記憶領域４３の３つの記憶領域に区切られている。そこで、管理テーブル１６の「領域名」には、ファックス用記憶領域、コピー用記憶領域及びリスト原稿用記憶領域が表される。
【００２９】
管理テーブル１６の「状態」とは、第２ＳＤＲＡＭ３７の各記憶領域におけるデータの格納状態及び使用状態を表す。管理テーブル１６の「状態」は、第２ＳＤＲＡＭ３７の各記憶領域の状態に変更があった場合に、メモリコントローラ３５によって第２ＳＤＲＡＭ３７の記憶領域毎に更新される。
【００３０】
本実施形態において、「状態」は、「状態１」、「状態２」又は「状態３」で示される。
「状態１」とは、第２ＳＤＲＡＭ３７の記憶領域が使用されている状態である。記憶領域の使用とは、記憶領域にデータが書き込まれている、又は記憶領域からデータが読み出されている状態のことである。例えば、「状態１」には、ファックス用記憶領域３９にスキャナ２９によって読み取られた画像データが書き込まれている状態、及びファックス用記憶領域３９に格納されている画像データが送信指示に基づいて読み出されている状態が含まれる。また、「状態１」には、コピー用記憶領域４１又はリスト原稿用記憶領域４３においてデータが書き込まれ又は読み出されている状態を含む。
【００３１】
「状態２」とは、第２ＳＤＲＡＭ３７の記憶領域にデータが保持されている状態である。具体的に「状態２」とは、第２ＳＤＲＡＭ３７の記憶領域においてデータが格納されているが、格納されたデータが使用されていない状態である。例えば、「状態２」には、送信時間が指定された画像データが、送信時間までファックス用記憶領域３９に保持されている状態が含まれる。
「状態３」とは、第２ＳＤＲＡＭ３７の記憶領域にデータが格納されていない状態である。「状態３」には、記憶領域にデータが未だ格納されていない状態だけでなく、記憶領域に格納されたデータが印刷又は送信指示により読み出された後に記憶領域にから消去されることにより記憶領域にデータが格納されていない状態も含まれる。
図２では、メモリコントローラ３５によってファックス用記憶領域３９が「状態１」、コピー用記憶領域４１が「状態２」、リスト原稿用記憶領域４３が「状態３」に更新されている例が示している。
【００３２】
なお管理テーブル１６の「状態」は、第２ＳＤＲＡＭ３７の各記憶領域におけるデータの格納状態及び使用状態を示せれば十分であり、「状態１」、「状態２」及び「状態３」とは異なる記載で表示されてもよい。
【００３３】
（３）管理テーブルの更新
次に、図３を参照して、メモリコントローラ３５による管理テーブル１６の更新の処理について説明する。図３は、メモリコントローラによる管理テーブルの更新の処理を示すフローチャートである。上述のとおり、メモリコントローラ３５は、第２ＳＤＲＡＭ３７の記憶領域毎に管理テーブル１６の更新を行う。
以下、メモリコントローラ３５による、第２ＳＤＲＡＭ３７のファックス用記憶領域３９に関する管理テーブル１６の更新を例に挙げて説明する。具体的には、画像処理装置１において、ファックス用記憶領域３９にスキャナ２９によって読み込まれた画像データが格納され、格納した画像データを指定された時刻にファックス送信することがある。このような場合におけるファックス用記憶領域３９に関する管理テーブル１６の更新について、以下に説明する。
なお、メモリコントローラ３５によるコピー用記憶領域４１及びリスト原稿用記憶領域４３に関する管理テーブル１６の更新は、ファックス用記憶領域３９に関する更新と同様であるので説明を省略する。
【００３４】
まず、メモリコントローラ３５は、ファックス用記憶領域３９に関して画像データの格納要求があるかどうか判断する（ステップＳ１１）。例えば、スキャナ２９によって原稿から読み取られＡＳＩＣ３３によって画像処理された画像データをファックス用記憶領域３９に格納する要求を受け付けると、メモリコントローラ３５は、画像データの格納要求があると判断する。画像データの格納要求があれば（ステップＳ１１でＹｅｓ）、メモリコントローラ３５は、管理テーブル１６におけるファックス用記憶領域の「状態」を、ファックス用記憶領域３９が使用状態であることを示す「状態１」に更新する（ステップＳ１３）。ここでメモリコントローラ３５は、「状態」を「状態１」に更新した時、格納要求があった画像データをファックス用記憶領域３９に書き込む制御も開始する。
【００３５】
次に、メモリコントローラ３５は、ファックス用記憶領域３９への画像データの格納が終了したかどうかを判断する（ステップＳ１５）。ファックス用記憶領域３９への画像データの格納が終了すれば（ステップＳ１５でＹｅｓ）、メモリコントローラ３５は、管理テーブル１６におけるファックス用記憶領域の「状態」を、「状態１」から「状態２」に更新する（ステップＳ１７）。「状態２」は、画像データの保持状態を示す。
【００３６】
ファックス用記憶領域の「状態」を「状態２」に更新した後、メモリコントローラ３５は、ファックス用記憶領域３９に関する画像データの書き込み又は読み出し指示があるかどうか判断する（ステップＳ１９）。この例では、予め設定された画像データのファックス送信時刻までの時間をＲＴＣ２５でカウントし、メモリコントローラ３５は、設定された送信時刻が到来した時に、画像データの読み出し指示があると判断する。
【００３７】
画像データの読み出し指示がある判断すれば（ステップＳ１９でＹｅｓ）、メモリコントローラ３５は、管理テーブル１６におけるファックス用記憶領域の「状態」を、「状態２」から「状態１」に更新する（ステップＳ２１）。なお、このとき、メモリコントローラ３５は、管理テーブル１６におけるファックス用記憶領域３９からファックス送信が指示されている画像データを読み出す制御も開始する。
【００３８】
その後、メモリコントローラ３５は、ファックス送信後の画像データについてファックス用記憶領域３９から消去する指示を受け付けているかどうか判断する（ステップＳ２３）。画像データの消去の指示を受け付けている場合には（ステップＳ２３でＹｅｓ）、画像データをファックス用記憶領域３９から消去する。そして、メモリコントローラ３５は、画像データの消去後に管理テーブル１６におけるファックス用記憶領域の「状態」を、「状態１」から、ファックス用記憶領域３９に画像データが格納されていない状態であることを示す「状態３」に更新する（ステップＳ２５）。
【００３９】
上記の例において、ファックス用記憶領域３９に格納された画像データの読み出し指示がなく（ステップＳ１９でＮｏ）、その後ファックス用記憶領域３９に格納された画像データが消去される場合がある。例えば、ファックス用記憶領域３９に格納した画像データに対してファックス送信される前にユーザから消去が指示される場合、又は画像データの読み出し指示があると判断してから所定の時間を経過しても画像データの読み出しが実行されない場合である。
【００４０】
この場合、メモリコントローラ３５は、ファックス用記憶領域３９に格納された画像データの消去指示を受け付けたかどうか判断する（ステップＳ２９）。メモリコントローラ３５は、画像データの消去の指示を受け付けた場合（ステップＳ２９でＹｅｓ）、画像データをファックス用記憶領域３９から消去し、管理テーブル１６におけるファックス用記憶領域を「状態２」から「状態３」に更新する（ステップＳ２５）。一方、ここで格納された画像データの消去の指示がない場合は（ステップＳ２７でＮｏ）、メモリコントローラ３５は管理テーブル１６の更新の処理を終了する。
【００４１】
また、メモリコントローラ３５は、ステップＳ２３において画像データの消去の指示がない場合は、管理テーブル１６のファックス用記憶領域の「状態」を、「状態１」から「状態２」に更新する（ステップＳ２７）。これにより、管理テーブル１６において画像データが再び保持された状態であることが示される。「状態１」を「状態２」へと更新した後に、メモリコントローラ３５は、管理テーブル１６の更新の処理を終了する。
【００４２】
（４）記憶領域の制御
次に、メモリコントローラ３５が管理テーブル１６を参照して第２ＳＤＲＡＭ３７の各記憶領域を制御する処理について図４を参照して説明する。図４は、メモリコントローラによる記憶領域の制御を示すフローチャートである。以下、メモリコントローラ３５によるファックス用記憶領域３９の制御を例に挙げて説明する。なお、メモリコントローラ３５によるコピー用記憶領域４１及びリスト原稿用記憶領域４３の制御は、ファックス用記憶領域３９に対する制御と同様であるので説明を省略する。
【００４３】
まず、メモリコントローラ３５は、管理テーブル１６の「状態」を監視し、ファックス用記憶領域３９に関して管理テーブル１６の「状態」に更新があるかどうか判断する（ステップＳ４１）。ファックス用記憶領域３９に関して管理テーブル１６の「状態」が更新されていれば（ステップＳ４１でＹｅｓ）、更新後の「状態」が「状態１」であるかどうか判断する。「状態１」であれば（ステップＳ４３でＹｅｓ）、メモリコントローラ３５は、ファックス用記憶領域３９へ電力を供給するように電源供給部４５に指示する（ステップＳ４５）。これにより、「状態１」であるファックス用記憶領域３９へと電源供給部４５から電力が供給される。
【００４４】
更新後の「状態」が「状態１」でなければ（ステップＳ４３でＮｏ）、メモリコントローラ３５は、更新後の「状態」が「状態２」であるかどうか判断する（ステップＳ４７）。「状態２」であれば（ステップＳ４７でＹｅｓ）、メモリコントローラ３５は、ファックス用記憶領域３９をセルフリフレッシュモードへと切り替えて制御する（ステップＳ４９）。
【００４５】
更新後の「状態」が「状態２」でなければ（ステップＳ４７でＮｏ）、メモリコントローラ３５は、更新後の「状態」が「状態３」であると判断し、電源供給部４５にファックス用記憶領域３９への電力の供給を停止するように指示する（ステップＳ５１）。これにより、「状態３」であるファックス用記憶領域３９への電源供給部４５からの電力の供給が停止される。
【００４６】
例えば、図３に示す例においては、メモリコントローラ３５は、ステップＳ１３にて管理テーブル１６におけるファックス用記憶領域の「状態」を「状態１」に更新した後に、電源供給部４５を制御することでファックス用記憶領域３９へ電力を供給する。また、メモリコントローラ３５は、ステップＳ１７にてファックス用記憶領域の「状態」を「状態２」に更新した後に、ファックス用記憶領域３９をセルフリフレッシュモードへと切り替える。
その後ステップＳ２１にてファックス用記憶領域の「状態」を「状態１」に更新した後に、メモリコントローラ３５は、ファックス用記憶領域３９のセルフリフレッシュモードを解除し、電源供給部４５を制御することでファックス用記憶領域３９へ電力を供給する。また、ステップＳ２５にてファックス用記憶領域の「状態」を「状態３」に更新した後に、メモリコントローラ３５は、電源供給部４５を制御することでファックス用記憶領域３９へ電力の供給を停止する。
【００４７】
上記のとおり、本実施形態のメモリコントローラ３５は、第３ＳＤＲＡＭ３７を、記憶領域毎に、画像データの格納状態及び使用状態に応じてセルフリフレッシュモード、電源の供給状態又は電源供給の停止状態になるように制御する。具体的には、画像データが格納され、格納された画像データが書き込み又は読み出し状態である「状態１」の記憶領域には、電源供給部４５からの電力を供給する。記憶領域に画像データが格納されていない状態である「状態３」の記憶領域には、電源供給部４５からの電力の供給を停止する。また、メモリコントローラ３５は、画像データが保持されている状態である「状態２」の記憶領域をセルフリフレッシュモードに切り替える。
【００４８】
このように本実施形態では、書き込み中又は読み出し中の記憶領域には電力を供給でき、一方で画像データが格納されていない記憶領域には電力の供給を停止できる。また、データが保持されている状態の記憶領域はセルフリフレッシュモードに切り替えることができる。従って、データの格納状態及び使用状態に応じて電力の供給が必要な記憶領域にのみ電力を供給できるので、第２ＳＤＲＡＭ３７に供給する電力を減少させ、画像処理装置１における消費電力を減少できる。
【００４９】
また、各記憶領域の「状態」の変化に応じて更新される管理テーブル１６を備えることにより、メモリコントローラ３５は、管理テーブル１６を参照してより容易に第２ＳＤＲＡＭ３７の各記憶領域を制御できる。
【００５０】
（５）特徴
上記実施形態は、下記のように表現可能である
（Ａ）画像処理装置１は、ＣＰＵ１１と、第２ＳＤＲＡＭ３７と、メモリコントローラ３５と、電源供給部４５とを備える。ＣＰＵ１１は、画像処理装置１を制御する。第２ＳＤＲＡＭ３７は、複数の記憶領域であるファックス用記憶領域３９、コピー用記憶領域４１及びリスト原稿用記憶領域４３を有し、データが格納される。メモリコントローラ３５は、ファックス用記憶領域３９、コピー用記憶領域４１及びリスト原稿用記憶領域４３を、データの格納状態及び使用状態に応じて記憶領域毎に制御する。電源供給部４５は、ＣＰＵ１１、第２ＳＤＲＡＭ３７及びメモリコントローラ３５に電力を供給する。ファックス用記憶領域３９は、現在使用されている「状態１」の記憶領域、データが格納されているが現在使用されていない「状態２」の記憶領域、及びデータが格納されていない「状態３」の記憶領域のいずれかである。また、コピー用記憶領域４１及びリスト原稿用記憶領域４３も同様に、現在使用されている「状態１」の記憶領域、データが格納されているが現在使用されていない「状態２」の記憶領域又はデータが格納されていない「状態３」の記憶領域のいずれかである。ここで、メモリコントローラ３５は、電源供給部４５を制御することで「状態１」の記憶領域に対して電力を供給し、「状態２」の記憶領域をセルフリフレッシュモードに移行させ、電源供給部４５を制御することで「状態３」の記憶領域に対して電力の供給を停止する。
【００５１】
（Ｂ）画像処理装置１は、第２ＳＤＲＡＭ３７の各記憶領域におけるデータの格納状態及び使用状態を管理する管理テーブル１６をさらに備える。ここで、メモリコントローラ３５は、管理テーブル１６に基づいて第２ＳＤＲＡＭ３７を制御する。
【００５２】
（Ｃ）メモリコントローラ３５は、データの格納状態及び使用状態の変更に応じて管理テーブル１６を更新する。
【００５３】
（６）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００５４】
（ａ）上記の実施形態では、第２ＳＤＲＡＭ３７は、３つの記憶領域であるファックス用記憶領域３９、コピー用記憶領域４１及びリスト原稿用記憶領域４３を含む例を挙げて説明した。しかし、第２ＳＤＲＡＭ３７の記憶領域の数及びその用途は上記の実施形態に限定されない。
（ｂ）第２ＳＤＲＡＭ３７に代えてＤＲＡＭ等の他の揮発性メモリを用いてもよい。
【産業上の利用可能性】
【００５５】
セルフリフレッシュ機能を有する記憶部を備える画像処理装置に広く適用できる。
【符号の説明】
【００５６】
１        画像処理装置
１１      ＣＰＵ
１３      フラッシュＲＯＭ
１５      第１ＳＤＲＡＭ
１６      管理テーブル
１７      ＳＲＡＭ
１９      モデム
２１      ＮＣＵ
２３      操作パネル
２５      ＲＴＣ
２７      ネットワークボード
２９      スキャナ
３１      プリンタ
３３      ＡＳＩＣ
３５      メモリコントローラ
３７      第２ＳＤＲＡＭ
３９      ファックス用記憶領域
４１      コピー用記憶領域
４３      リスト原稿用記憶領域
４５      電源供給部
【図１】
2012160934.tif 000003
【図２】
2012160934.tif 000004
【図３】
2012160934.tif 000005
【図４】
2012160934.tif 000006